(57)【要約】【課題】効果が持続し、人体への影響を抑えつつ、小動物の屋内への侵入を抑止できる電極シートと、その電極シートを用いる小動物忌避装置を提供する。【解決手段】電極シート１０は、複数の直線状の溝が表面に形成された基体１２と、基体１２の表面から突出するように、これらの溝に設置された導線１４，１６，１８，２０，２２，２４，２６，２８と、導線１４，１８，２２，２６を電気的に接続する第１の給電線と、導線１６，２０，２４，２８を電気的に接続する第２の給電線と、第１の給電線と第２の給電線に電源の両方の極をそれぞれ電気的に接続するための第１の端子３４と第２の端子３６とを有する。小動物忌避装置は、電極シート１０と、導線にパルス電圧を印加する電源とを有する。【選択図】図１
0003168412.tif 000002
【実用新案登録請求の範囲】
【請求項１】
建物の出入口付近に設置され、電源に接続されて電力が供給されることによって、小動物を忌避する電極シートであって
複数の直線状の溝が、所定の間隔で表面に形成された基体と、
前記基体の表面から突出するように前記複数の溝に設置された複数の導線と、
前記複数の導線を１本置きに電気的に接続する第１の給電線と、
前記第１の給電線が電気的に接続しなかった前記複数の導線を１本置きに電気的に接続する第２の給電線と、
第１の給電線に電源の一方の極を電気的に接続するための第１の端子と、
第２の給電線に電源の他方の極を電気的に接続するための第２の端子と、
を有する電極シート。
【請求項２】
請求項１において、
前記基体は、耐荷重性のゴムからなる電極シート。
【請求項３】
請求項１または２において、
前記溝は、断面Ｕ字形状を有する電極シート。
【請求項４】
請求項１から３のいずれか１項の電極シートと、
前記第１の端子および前記第２の端子に接続され、前記複数の導線にパルス電圧を印加する電源と、
を有する小動物忌避装置。
【請求項５】
請求項４において、
前記電源から前記電極シートに交流２００Ｖ〜１０００Ｖの電圧を印加する小動物忌避装置。
【考案の詳細な説明】
【技術分野】
【０００１】
本考案は、ネズミ、カラス、ゴキブリ、およびナメクジ等の小動物が屋内に侵入するのを抑止する電極シートとその電極シートを用いる小動物忌避装置に関するものである。
【背景技術】
【０００２】
ネズミやカラス等の小動物を忌避する方法として、爆発音を発生させる方法が知られている。しかし、この忌避方法は、一時的な効果は得られても持続的な効果は得られない。
また、薬剤を散布して小動物を忌避する方法も知られているが、薬剤の人体や環境への影響を考慮すると、薬剤散布はできるだけ避けたい。
【考案の概要】
【考案が解決しようとする課題】
【０００３】
本考案はこのような事情に鑑みてなされたものであり、効果が持続し、人体への影響を抑えつつ、小動物の屋内への侵入を抑止できる電極シートと、その電極シートを用いる小動物忌避装置を提供することを目的とする。
【課題を解決するための手段】
【０００４】
本考案の電極シートは、建物の出入口付近に設置され、電源に接続されて電力が供給されることによって、小動物を忌避する電極シートであって複数の直線状の溝が、所定の間隔で表面に形成された基体と、基体の表面から突出するように複数の溝に設置された複数の導線と、複数の導線を１本置きに電気的に接続する第１の給電線と、第１の給電線が電気的に接続しなかった複数の導線を１本置きに電気的に接続する第２の給電線と、第１の給電線に電源の一方の極を電気的に接続するための第１の端子と、第２の給電線に電源の他方の極を電気的に接続するための第２の端子とを有する。
【０００５】
この電極シートにおいて、基体は、耐荷重性のゴムからなることが好ましい。また、溝は、断面Ｕ字形状を有することが好ましい。
【０００６】
本考案の小動物忌避装置は、本考案の電極シートと、第１の端子および第２の端子に接続され、複数の導線にパルス電圧を印加する電源とを有する。この小動物忌避装置において、電源から電極シートに交流２００Ｖ〜１０００Ｖの電圧を印加することが好ましい。
【考案の効果】
【０００７】
本考案によれば、効果が持続し、人体への影響を抑えつつ、小動物の屋内への侵入を抑止できる。
【図面の簡単な説明】
【０００８】
【図１】本考案の実施形態に係る電極シートの平面図である。
【図２】本考案の実施形態に係る電極シートの側面図である。
【図３】図１のＡ−Ａ線で切断した電極シートの断面図である。
【図４】本考案の実施形態に係る小動物忌避装置のブロック図である。
【考案を実施するための形態】
【０００９】
以下、本考案の電極シートおよび小動物忌避装置について、図面を参照しながら実施形態に基づいて説明する。図面は電極シート、小動物忌避装置、およびこれらの部材を適宜省略して模式的に表したものであり、それらの実際の寸法および寸法比は、図面上の寸法および寸法比と必ずしも一致していない。また、本実施形態における電極シートまたは小動物忌避装置の部材の形状と寸法は一例であり、本考案はそれらに限定されない。なお、重複説明は適宜省略する。
【００１０】
図１は、本実施形態の電極シート１０の平面図であり、図２は、電極シート１０の側面図であり、図３は、図１のＡ−Ａ線で切断した電極シート１０の断面図である。電極シート１０は、食品倉庫等の建物の出入口付近、特に建物の屋内外の境界付近の屋内側に設置される。電極シート１０への降雨を防ぐためである。なお、庇等によって電極シート１０への降雨が防げれば、建物の屋内外の境界付近の屋外側に電極シート１０を設置しても良い。
【００１１】
電極シート１０は、電源に接続されて電力が供給されることによって小動物を忌避する。小動物を忌避する仕組みは後述する。電極シート１０は、基体１２と、複数の導線１４，１６，１８，２０，２２，２４，２６，２８と、第１の給電線３０と、第２の給電線３２と、第１の端子３４と、第２の端子３６とを備える。導線の数は特に限定されない。
【００１２】
基体１２は絶縁性素材から構成されている。絶縁性素材としては、例えば、合成樹脂やゴム等が挙げられる。電極シート１０は、食品倉庫等の入口に設置され、フォークリフト等の運搬機器がその上を通過する場合が多い。このため、基体１２は耐荷重性のゴムから構成されることが好ましい。耐荷重性のゴムとしては、エチレンプロピレンゴム（ＥＰＭ）、エチレンプロピレンジエンゴム（ＥＤＰＭ）、クロロプレンゴム（ＣＲ）、アクリルゴム（ＡＮＭまたはＡＣＭ）等が挙げられる。本実施形態では、ＥＤＰＭで基体１２を構成している。
【００１３】
基体１２は平板形状を有し、本実施形態では、その外寸が幅１０００ｍｍ、奥行き１０５ｍｍ、高さ１０ｍｍである。基体１２の裏面には、滑りを抑えるため凹凸面が形成されている。基体１２は、導線１４，１６，１８，２０，２２，２４，２６，２８が設置されるように、複数の直線状の溝４４，４６，４８，５０，５２，５４，５６，５８が表面に形成されている。導線１４，１６，１８，２０，２２，２４，２６，２８は、本実施形態では、円柱形状を有する金属棒からなり、その外寸は、直径４ｍｍ、長さ１０００ｍｍである。
【００１４】
溝４４，４６，４８，５０，５２，５４，５６，５８は、所定の間隔で、本実施形態では１０ｍｍまたは１５ｍｍで、基体１２の表面に形成されている。溝の間隔は等間隔でなくても良い。本実施形態では、溝４４，４６，４８，５０，５２，５４，５６，５８が断面Ｕ字形状を有する。このため、基体１２に導線１４，１６，１８，２０，２２，２４，２６，２８を設置しやすく、また、設置された導線１４，１６，１８，２０，２２，２４，２６，２８が動きにくい。
【００１５】
本実施形態では、溝４４，４６，４８，５０，５２，５４，５６，５８の深さが３．５ｍｍで、このうち断面Ｕ字形状の底部に相当する円弧部の深さが２ｍｍである。このため、溝４４，４６，４８，５０，５２，５４，５６，５８に設置された導線１４，１６，１８，２０，２２，２４，２６，２８は、高さ０．５ｍｍだけ基体１２の表面から突出する。このように、基体１２の表面から突出して導線が溝に設置されているため、建物の出入口から歩行して侵入しようとした小動物は、電極シート１０の導線に接触し、感電して建物から退散する。
【００１６】
第１の給電線３０は、複数の導線を１本置きに、すなわち導線１４，１８，２２，２６を電気的に接続する。具体的には、図３に示すように、導線１４，１８，２２，２６を囲むリング状の導体部材から下方に延びた導線を、他の導線で水平方向に連結する。第１の給電線３０と同様に、第２の給電線３２は、第１の給電線３０が電気的に接続しなかった複数の導線を１本置きに、すなわち導線１６，２０，２４，２８を電気的に接続する。
【００１７】
第１の端子３４は、第１の給電線３０に電源の一方の極を電気的に接続するためのものである。具体的には、第１の端子３４は、図２および図３に示すように、導線１４，１８，２２，２６を電気的に接続した第１の給電線３０から、別の導線を基体１２の外側に延ばしたものである。第１の端子３４と同様に、第２の端子３６は、第２の給電線３２に電源の他方の極を電気的に接続するためのものである。
【００１８】
図４は、本実施形態に係る小動物忌避装置６０のブロック図である。小動物忌避装置６０は、電極シート１０と、第１の端子３４および第２の端子３６に接続され、導線１４，１６，１８，２０，２２，２４，２６，２８にパルス電圧を印加する電源７０とを備える。本実施形態では、パルス電圧は、１００ミリ秒周期で、オンタイムが１０％でオフタイムが９０％である。この周期とデューティ比であれば、小動物、例えば、ネズミ等の小型哺乳類、カラスやスズメ等の鳥類、ゴキブリ等の虫類、ヘビやトカゲ等のハ虫類、およびナメクジ等の小型軟体動物の忌避に効果がある。
【００１９】
電源７０から電極シート１０に交流２００Ｖ〜１０００Ｖの電圧を印加することが好ましい。小動物の忌避に顕著な効果があり、かつフォークリフトに乗って建物に出入りする者や電気絶縁靴を履いて歩行によって建物に出入する者に危害を与えないからである。電源７０から電極シート１０に印加する電圧は、小動物を忌避でき人体に危害を与えなければ、上記範囲に限定されない。
【００２０】
つぎに、小動物を忌避する仕組みについて説明する。一般に食品倉庫、例えば米蔵では、米俵や米袋の運搬の便宜のため、出入口の扉を開放し、ビニルカーテン等で蔵の内外を間仕切りする。このため、出入口の下方のわずかな隙間から小動物が侵入するおそれがある。
【００２１】
電源７０の一方の極を、第１の端子３４および第１の給電線３０を介して、導線１４，１８，２２，２６に電気的に接続し、電源７０の他方の極を、第２の端子３６および第２の給電線３２を介して、導線１６，２０，２４，２８に電気的に接続する。このため、隣接する導線には、異なった極の電圧が印加される。
【００２２】
小動物が建物に向かって歩行し電極シート１０に乗ると、小動物は隣接する少なくとも２本の導線に接触し、小動物自体を介して電気閉回路が形成され、小動物に電流が流れ感電する。このため、小動物は建物から退散する。小動物の本能によるものと思われるが、その後はその小動物は建物に近づかなくなり、小動物を忌避することができる。また、仮にその小動物が建物に近づいたとしても、小動物忌避装置６０によって忌避することができる。
【符号の説明】
【００２３】
１０  電極シート
１２  基体
１４，１６，１８，２０，２２，２４，２６，２８  導線
３０  第１の給電線
３２  第２の給電線
３４  第１の端子
３６  第２の端子
４４，４６，４８，５０，５２，５４，５６，５８  溝
６０  小動物忌避装置
７０  電源
【図１】
0003168412.tif 000003
【図２】
0003168412.tif 000004
【図３】
0003168412.tif 000005
【図４】
0003168412.tif 000006